(57)【要約】      （修正有）【課題】一般的にはスクイジー（ｓｑｕｅｅｇｅｅ）と呼ばれ、壁、窓ガラス或いは天井等の水洗い又は液状洗剤洗いに用いられる洗浄具の改良、及びその改良された洗浄具を用いた洗浄方法を提供する。【解決手段】パイプ先端部に洗浄面拭き取り手段を取り付けた洗浄具本体部１０と、洗浄水又は液状洗剤を洗浄面に噴霧する噴霧手段７０とを備え、洗浄面に対して洗浄水又は液状洗剤を噴霧した後、前記水洗浄面拭き取り手段２０によって洗浄水又は液状洗剤を拭き取り洗浄面を洗浄する洗浄具であって、洗浄面拭き取り手段は、パイプの先端部に対して揺動自在に取り付けられている。また別の洗浄具は、洗浄具本体部の先端部には、洗浄面拭き取り手段に沿って毛細管現象９０を有した細条部材を設けている。【選択図】        図１
2004329819.tif 000002
【特許請求の範囲】
【請求項１】
パイプ先端部に洗浄面拭き取り手段を取り付けた洗浄具本体部と、洗浄水又は液状洗剤を洗浄面に噴霧する噴霧手段とを備え、洗浄面に対して洗浄水又は液状洗剤を噴霧した後、前記洗浄面拭き取り手段によって洗浄水又は液状洗剤を拭き取り洗浄面を洗浄する洗浄具であって、
前記洗浄面拭き取り手段は、前記パイプの先端部に対して揺動自在に取り付けられていることを特徴とする洗浄具。
【請求項２】
請求項１記載の洗浄具において、前記洗浄面拭き取り手段は水切りゴムであることを特徴とする洗浄具。
【請求項３】
請求項１記載の洗浄具において、前記洗浄面拭き取り手段はスポンジ体であることを特徴とする洗浄具。
【請求項４】
請求項１記載の洗浄具において、前記洗浄面拭き取り手段は毛細管現象を有した細条部材であることを特徴とする洗浄具。
【請求項５】
請求項１乃至請求項３の内の一つに記載の洗浄具において、前記洗浄面拭き取り手段を前記パイプ先端部に取り付ける部材を可撓性にしたことを特徴とする洗浄具。
【請求項６】
請求項４記載の洗浄具において、前記細条部材自体の可撓性によって、前記洗浄面拭き取り手段である細条部材を前記パイプの先端部に対して揺動自在に構成したことを特徴とする洗浄具。
【請求項７】
パイプ先端部に洗浄面拭き取り手段を取り付けた洗浄具本体部と、洗浄水又は液状洗剤を洗浄面に噴霧する噴霧手段とを備え、洗浄面に対して洗浄水又は液状洗剤を噴霧した後、前記洗浄面拭き取り手段によって洗浄水又は液状洗剤を拭き取り洗浄面を洗浄する洗浄具であって、
前記洗浄具本体部の先端部には、前記洗浄面拭き取り手段に沿って毛細管現象を有した細条部材を設けたことを特徴とする洗浄具。
【請求項８】
請求項７記載の洗浄具において、前記洗浄面拭き取り手段は水切りゴムであることを特徴とする洗浄具。
【請求項９】
請求項７記載の洗浄具において、前記洗浄面拭き取り手段はスポンジ体であることを特徴とする洗浄具。
【請求項１０】
請求項７記載の洗浄具において、前記洗浄面拭き取り手段は毛細管現象を有した細条部材であることを特徴とする洗浄具。
【請求項１１】
請求項１乃至請求項３の内の一つに記載の洗浄具において、前記洗浄具本体部の先端部には、前記洗浄面拭き取り手段に沿って毛細管現象を有した細条部材を設けたことを特徴とする洗浄具。
【請求項１２】
パイプ先端部に洗浄面拭き取り手段を取り付けた洗浄具本体部と、洗浄水又は液状洗剤を洗浄面に噴霧する噴霧手段とを備えた洗浄具であって、
洗浄面に対して洗浄水又は液状洗剤を噴霧し、前記洗浄面拭き取り手段洗浄面拭き取り手段によって洗浄水又は液状洗剤を拭き取り洗浄面を洗浄し、前記洗浄面拭き取り手段の拭き取り動作により掻き集められた水滴を毛細管現象を有した細条部材により集水し、集水した洗浄水又は液状洗剤を前記パイプの中空部を介して集水器に溜めるようにしたことを特徴とする洗浄具。
【請求項１３】
パイプ先端部に洗浄面拭き取り手段を取り付けた洗浄具本体部と、洗浄水又は液状洗剤を洗浄面に噴霧する噴霧手段とを備えた洗浄具を用いた洗浄方法であって、
前記噴霧手段により洗浄面に対して洗浄水又は液状洗剤を噴霧した後、前記洗浄面拭き取り手段によって洗浄水又は液状洗剤を拭き取り洗浄面を洗浄し、前記洗浄面拭き取り手段の拭き取り動作により掻き集められた水滴を毛細管現象を有した細条部材により集水し、集水した洗浄水又は液状洗剤を前記パイプの中空部を介して集水器に溜めるようにして、
洗浄面に対して洗浄水又は液状洗剤を噴霧しながら、掻き集めた水滴は集水して排水するようにしたことを特徴とする洗浄方法。
【発明の詳細な説明】
【０００１】
【発明の属する技術分野】
本発明は、一般的にはスクイジー（ｓｑｕｅｅｇｅｅ）と呼ばれ、壁、窓ガラス或いは天井等の水洗い又は液状洗剤洗いに用いられる洗浄具の改良、及びその改良された洗浄具を用いた洗浄方法に関する。
【０００２】
【従来の技術】
従来、例えば、実用新案登録第３０７５８９２号には「Ｔ型で伸縮自在柄をつけた窓拭き具に噴霧器ノズル部分のついたビニールホースを取り付け、該ビニールホースを介して蓄圧式噴霧器より送られた霧状の洗浄水又は液状洗剤をガラス面に吹き付け、該水分を水切りゴムにより除去する事によって窓のガラス面を清掃する窓拭き具」が提案されている。
また、実用新案登録第３０７２１１８号及び特開平１０−２９６５９３号にも同様の洗浄具が提案されている。
【０００３】
【発明が解決しようとする課題】
従来、この種の洗浄具及び洗浄方法は、噴霧器等で洗浄水又は液状洗剤を洗浄面に吹き付けた後に、その水分を水切りゴムにより拭い去ることによって洗浄面を洗浄するものであり、洗浄面に吹き付けた洗浄水又は液状洗剤が水切りゴムによって集められて洗浄面を流下或いは滴下し床等を汚してしまうことがあった。本発明は、そのように水切りゴムによって掻き集められた洗浄水又は液状洗剤を捕集することにより、洗浄面を流下或いは滴下して床等を汚さないようにする洗浄具及び洗浄方法を提供するものである。
また、従来の洗浄具は、取手部先端に水切りゴムを取り付ける首部の取り付け角度が固定式であったため、作業員の肩部よりも上方を洗浄する場合には作業が容易であるが、肩部よりも下方を作業する場合には首部の曲がりが洗浄面から遠ざかる方向の曲がりとなり、水切りゴムが洗浄面から離れるようになってしまい、腰をかがめる必要があるなど作業が困難であった。
そこで、本発明は、水切りゴムを取り付ける肩部を適当な弾圧力を持たせた可撓性に構成することにより、洗浄面に対して水切りゴムを常に正常な状態で圧接させるものである。
【０００４】
【課題を解決するための手段】
本発明は、洗浄面に対して洗浄水又は液状洗剤を噴霧しながら洗浄面拭き取り手段によって洗浄水又は液状洗剤を拭き取り洗浄面を洗浄する洗浄具及びその洗浄具を用いて洗浄する方法に関するものであり、基本的には、課題を解決する手段とてしは、洗浄面拭き取り手段を洗浄面に対して固定にせず揺動自在にすること、及び洗浄面拭き取り手段によって掻き取った洗浄水又は液状洗剤を毛細管現象により集水して集水器等に溜めるようにした点である。
具体的に、本発明の洗浄具は、パイプ先端部に洗浄面拭き取り手段を取り付けた洗浄具本体部と、洗浄水又は液状洗剤を洗浄面に噴霧する噴霧手段とを備え、洗浄面に対して洗浄水又は液状洗剤を噴霧した後、前記洗浄面拭き取り手段によって洗浄水又は液状洗剤を拭き取り洗浄面を洗浄する洗浄具であって、洗浄面拭き取り手段は、パイプの先端部に対して揺動自在に取り付けられている。
ここにおいて、洗浄面拭き取り手段は、水切りゴム、スポンジ体、毛細管現象を有する細条部材が適切である。
また別の洗浄具は、パイプ先端部に洗浄面拭き取り手段を取り付けた洗浄具本体部と、洗浄水又は液状洗剤を洗浄面に噴霧する噴霧手段とを備え、洗浄面に対して洗浄水又は液状洗剤を噴霧した後、前記洗浄面拭き取り手段によって洗浄水又は液状洗剤を拭き取り洗浄面を洗浄する洗浄具であって、洗浄具本体部の先端部には、洗浄面拭き取り手段に沿って毛細管現象を有した細条部材を設けている。
また、本発明の洗浄具は、洗浄具本体部の先端部には、洗浄面拭き取り手段に沿って毛細管現象を有した細条部材を設けるようにした。
ここにおいても、洗浄面拭き取り手段は、水切りゴム、スポンジ体、毛細管現象を有する細条部材が適切であり、洗浄面拭き取り手段が細条部材の場合は、水切りゴム、スポンジ体を設けなくとも良い。
また、本発明の洗浄具は、洗浄面拭き取り手段をパイプ先端部に取り付ける部材を可撓性にするか、細条部材自体の可撓性によって洗浄面拭き取り手段をパイプの先端部に対して揺動自在にした。
また、本発明の洗浄具は、パイプ先端部に洗浄面拭き取り手段を取り付けた洗浄具本体部と、洗浄水又は液状洗剤を洗浄面に噴霧する噴霧手段とを備えた洗浄具であって、洗浄面に対して洗浄水又は液状洗剤を噴霧し、洗浄面拭き取り手段によって洗浄水又は液状洗剤を拭き取り洗浄面を洗浄し、洗浄面拭き取り手段の拭き取り動作により掻き集められた水滴を毛細管現象を有した細条部材により集水し、集水した洗浄水又は液状洗剤をパイプの中空部を介して集水器に溜めるようにした。
本発明の洗浄方法は、パイプ先端部に洗浄面拭き取り手段を取り付けた洗浄具本体部と、洗浄水又は液状洗剤を洗浄面に噴霧する噴霧手段とを備えた洗浄具を用いた洗浄方法であって、噴霧手段により洗浄面に対して洗浄水又は液状洗剤を噴霧した後、洗浄面拭き取り手段によって洗浄水又は液状洗剤を拭き取り洗浄面を洗浄し、洗浄面拭き取り手段の拭き取り動作により掻き集められた水滴を毛細管現象を有した細条部材により集水し、集水した洗浄水又は液状洗剤をパイプの中空部を介して集水器に溜めるようにして、洗浄面に対して洗浄水又は液状洗剤を噴霧しながら、掻き集めた水滴は集水して排水するようにした。
【０００５】
【発明の実施の形態】
図１は、本発明の洗浄具の一つの具体的実施例を示す概観説明図であり、図２は、その洗浄具本体の先端部分を示す正面図である。本実施例の洗浄具は、全体が符号１００で示され、洗浄具本体部１０と洗浄水又は液状洗剤の噴霧手段７０から構成されている。この実施例では、洗浄面拭き取り手段を水切りゴム２０で構成した例を示しているが、本件発明はこれに限るものではない。洗浄具本体部１０は、水切りゴム２０、該水切りゴム２０を取り付ける取付首部３０、該取付首部３０を先端部に装着した伸縮自在パイプ部６０、該伸縮自在パイプ部６０の後端部に連結した可撓性パイプ６５、及び該可撓性パイプ６５の終端部に連結した集水器６７から成っている。
図１の伸縮自在パイプ部６０は、前パイプ６１と後パイプ６３とから構成されている。図１の実施例の伸縮自在パイプ部６０は、２本のパイプを出し入れ自在に組み合わせて構成しているが、必要に応じて、２本以上のパイプにより構成することは自由である。
噴霧手段７０は、蓄圧式噴霧器本体７１、蓄圧式ポンプ手段７３、ビニールホース７５、及び噴霧ノズル７７から成っており、ビニールホース７５は、蓄圧式噴霧器本体７１と噴霧ノズル７７とをつないで伸縮自在パイプ部６０内を伸びており、噴霧器本体７１内の洗浄水又は液状洗剤を洗浄面に向かって噴霧するように構成されている。この実施例では手動の蓄圧式ポンプ手段を用いたが、図示はしないが、電動の蓄圧式ポンプ手段を用いることは当業者にとって何ら困難性を有するものではなく、また、水道直結式を採用することも可能である。水道直結式の場合は、配管の途中に水止コックを設ける必要があることは言うまでもない。
取付首部３０は半中空状態に形成されており、その中空部には水切りゴム２０によって掻き集められた洗浄水又は液状洗剤を毛細管現象によって捕捉するための細条部材９０を収容している。この細条部材９０は、図２に示すように、正面から見ると箒状に形成されている。この実施例において、スクイジー体４０は、水切りゴム２０、取付首部３０、細条部材９０から構成される。
【０００６】
図３及び図４は、上記実施例の水切りゴム２０を取り付ける取付首部３０の詳細部品図であり、固定取付部３１と可動取付部３２とから成っており、固定取付部３１は取付首部３０全体を伸縮自在パイプ部６０の先端部に取り付ける固定環３３を備え、可動取付部３２は固定取付部３１に対して揺動軸３４回りに揺動可能に取り付けられている。固定取付部３１と可動取付部３２の交差角度はストッパ（図示なし）により所定角度θ以下にはならないように構成されており、所定角度θを維持して弾圧的に保持されるようにコイルバネ３５、３５が設けられている。可動取付部３２は所定以上の外力を加えることにより揺動角度αの範囲内で揺動させることができる（図４の点線で示した可動取付部３２’）。上記箒状の細条部材９０は、可動取付部３２の揺動運動に合わせた形に屈曲するように保持部材３９によって箒状の形状が保持される（図３及び図４では省略）。
図３及び図４には、図示していないが、取付首部３０の先端部には水切りゴム２０が適当な手段により取り付けられる。図３及び図４には、枢軸３８の回りにコイルバネ３６、３６によって弾圧される挟み付け手段３７が設けられている。この図３及び図４に示す実施例は、水切りゴム２０を取付首部３０の先端部に取り外し自在に取り付けることが可能な構成であればよく、当業者であれば適宜の構成が考えられるものである。
【０００７】
図５は、本発明の洗浄具の別の具体的実施例を示す洗浄具本体のスクイジー体の部分断面詳細図であり、図６は、その洗浄具本体のスクイジー体部分を示す正面図である。この実施例の部材に対する添付数字は、図１及び図２の実施例と同様の機能の部材については、同じ数字を用いている（以下同様）。
この実施例においては、スクイジー体４０の可撓性は、箒状の細条部材９０自体により達成される構成としている。また、この実施例においては、洗浄面拭き取り手段を水切りゴム２０で構成し、細条部材９０を沿って配置した例を示しているが、本件発明はこれに限るものではない。毛細管作用を有する箒状の細条部材９０の後端部は伸縮自在パイプ部６０の前パイプ６１先端部に挿入固定されている。スクイジー体４０の先端部分を構成する水切りゴム２０とスポンジ体９１は、箒状の細条部材９０の先端部に、外ケース体４１と内ケース体４２を介して、固定ピン４４、４４・・・によって固定されている。外ケース体４１の図５の下側部分は、箒状の細条部材９０全体をカバーするように大きく形成されており、これにより、毛細管現象で一旦集水した洗浄水又は液状洗剤を床等に滴下させる心配がない。水切りゴム２０は、固定金具４３によって長手方向の剛性を得ている。水切りゴム２０は、固定金具４３と共に内ケース体４２に対して圧入されており、取り外して交換することも可能である。
【０００８】
図７は、本発明の洗浄具のさらに別の具体的実施例を示す洗浄具本体のスクイジー体の部分断面詳細図であり、図８は、その洗浄具本体のスクイジー体部分を示す正面図である。
この実施例においては、スクイジー体４０の可撓性は、箒状の細条部材９０自体により達成される構成としている。この実施例においては、洗浄面拭き取り手段をスポンジ体９１で構成した例を示しているが、本件発明は掻き集めた洗浄水又は液状洗剤を取水する機能があれば良く、具体的構造はこれに限るものではない。毛細管作用を有する箒状の細条部材９０の後端部は伸縮自在パイプ部６０の前パイプ６１先端部に挿入固定されている。スクイジー体４０の先端部分は、箒状の細条部材９０の先端部分を覆うように設けられたスポンジ体９１によって洗浄面１１０を拭き取る構成としている。スポンジ体９１は固定金具４５を介して固定ピン４４、４４・・・によって箒状の細条部材９０の先端部分に固定されている。
この実施例のスクイジー体４０は、洗浄面拭き取り手段を前パイプ６１からほぼ直線状に取り付けてあることから、特に、天井を洗浄するのに適しているが、洗浄面拭き取り手段を前パイプ６１と所定角度傾斜して取り付け、さらに揺動可能に構成することは、既に説明した実施例を参照すれば、当業者であれば何らの発明力を要せずに極めて容易に達成できるものである。
【０００９】
図９は、本発明の洗浄具のさらに別の具体的実施例を示す洗浄具本体のスクイジー体の部分断面詳細図であり、図１０は、その洗浄具本体のスクイジー体部分を示す正面図である。
この実施例においては、スクイジー体４０の可撓性は、箒状の細条部材９０自体及び保持板４６、４６により達成される構成としている。保持版４６は弾性を有する材質であれば、金属でもプラスチックでも問わない。毛細管作用を有する箒状の細条部材９０の後端部は伸縮自在パイプ部６０の前パイプ６１先端部に挿入固定されている。このスクイジー体４０は、毛細管作用を有する箒状の細条部材９０が、洗浄面１１０と直接接触するように、細条部材９０の先端部が保持板４６、４６より少し延び出した構成としている。
この実施例においては、洗浄水又は液状洗剤を噴霧する噴霧ノズル７７を、上記実施例のようにスクイジー体４０外に設ける構成ではなく、スクイジー体４０内に設ける構成を採用しているので、洗浄水又は液状洗剤を噴霧と同時に集水して水分を捕捉することが可能である。
この実施例のスクイジー体４０も、洗浄面拭き取り手段を前パイプ６１からほぼ直線状に取り付けてあることから、特に、天井を洗浄するのに適しているが、洗浄面拭き取り手段を前パイプ６１と所定角度傾斜して取り付け、さらに揺動可能に構成することは、既に説明した実施例を参照すれば、当業者であれば何らの発明力を要せずに極めて容易に達成できるものである。
【００１０】
図１１は、本発明の洗浄具のさらに別の具体的実施例を示す洗浄具本体のスクイジー体の部分断面詳細図である。
この実施例のスクイジー体４０は、構造的には図７の実施例の構造と実質的に同一である。
この実施例においては、スクイジー体４０の可撓性は、箒状の細条部材９０自体により達成される構成としている。毛細管作用を有する箒状の細条部材９０の後端部は伸縮自在パイプ部６０の前パイプ６１先端部に挿入固定されている。スクイジー体４０の先端部分は、箒状の細条部材９０の先端部分を覆うように設けられたスポンジ体９１によって洗浄面１１０を拭き取る構成としている。スポンジ体９１は固定金具４５を介して固定ピン４４、４４・・・によって箒状の細条部材９０の先端部分に固定されている。スポンジ体９１の洗浄面１１０と対面する部分は凹凸形状を呈しており、天井等が凹凸をしている場合の洗浄に適している。この実施例でも、洗浄面拭き取り手段を前パイプ６１と所定角度傾斜して取り付け、さらに揺動可能に構成することは、既に説明した実施例を参照すれば、当業者であれば何らの発明力を要せずに極めて容易に達成できるものである。
【００１１】
図１２は、本発明の洗浄具のさらに別の具体的実施例を示す洗浄具本体のスクイジー体の部分断面詳細図である。
この実施例においては、スクイジー体４０は、全体が球状に形成された細条部材９０により構成されている。この毛細管作用を有する箒状の細条部材９０の後端部は伸縮自在パイプ部６０の前パイプ６１先端部に挿入固定されている。このスクイジー体４０は、特に、サッシ等の溝部の洗浄に適している。このスクイジー体４０の構成も、既に説明した種々の実施例のスクイジー体と置き換えることは、当業者であれば何らの発明力を要せずに極めて容易に達成できるものである。
【００１２】
図１３は、本発明の洗浄具のさらに別の具体的実施例を示す洗浄具本体のスクイジー体の部分断面詳細図であり、は、その洗浄具本体のスクイジー体部分を示す正面図であり、図１５は、その洗浄具本体のスクイジー体部分を示す背面図である。
この実施例において、スクイジー体４０は、水切りゴム２０は取り付け金具４７の一方の側に取り付けられ、その他方の側には内部に剛性部材を挟んだスポンジ体９２が取り付けられている。水切りゴム２０の下方部にはスポンジ体９１が嵌め込まれており、それら全体がスクイジー外ケース体４８とスクイジー内ケース体４９によって保持されている。
スクイジー体４０の可撓性は、スクイジー外ケース体４８及びスクイジー内ケース体４９と前パイプ６１間を繋ぐ可撓管５２によって達成されている。この実施例では、Ａ面部（図１４）は水切りゴム２０とスポンジ体９１によって拭き取り部分を構成しており、Ｂ面部分（図１５）はスポンジ体９２によって拭き取り部分を構成している。この実施例では、洗浄水又は液状洗剤を噴霧する噴霧ノズル７７は、Ｂ面の方に向いて設けられているが、当然のことながら、Ａ面の方に向けて設けても良い。噴霧ノズル７７を向けられた側のスクイジー外ケース体４８には、噴霧が通過できる開口５１が形成されている。
この実施例では、他の実施例の毛細管作用を有する箒状の細条部材９０は設けられておらず、スポンジ体９１或いはスポンジ体９２が捕捉した水分が直接集水管部６２に集められ、導水管６４に導かれる。
【００１３】
以下、本発明の、洗浄方法について説明する。まず、蓄圧式噴霧器７１のポンプ握り７３の押し下げ動作を繰り返し蓄圧式噴霧器本体７１内の空気を加圧しておく。次いで、本発明の洗浄具１００の伸縮自在パイプ部６０と噴霧器本体取手７４を持ち、噴霧器開閉レバー７２を押して、洗浄面に霧状の洗浄水又は液状洗剤を吹き付ける。それを洗浄面拭き取り手段の水切りゴム２０等で拭き取って除去することにより洗浄面を洗浄することができるものである。
洗浄面に吹き付けられた霧状の洗浄水又は液状洗剤は、洗浄面拭き取り手段の水切りゴム２０等で拭き取られる際に、霧状の洗浄水又は液状洗剤が掻き集められて大きな水滴となる。掻き集められた水滴は、箒状の細条部材９０或いはスポンジ体９１、９２により毛細管作用により集水され、伸縮自在パイプ部６０内の導水管６４に導かれ、可撓性パイプ６５を通して集水器６７に排水される。
本発明の洗浄方法に用いられる洗浄具は、洗浄水又は液状洗剤を噴霧し、洗浄面拭き取り手段により掻き集められた洗浄水又は液状洗剤を毛細管現象で集水して排水貯留することができるものであれば良く、以上で説明した種々の実施例の構造の洗浄具を用いて達成することができるものである。
【００１４】
図１６に洗浄面が垂直な場合の本洗浄具を用いた洗浄方法を説明する。洗浄箇所が作業者の肩部よりも高い位置の場合は、図１６（ａ）の状態で洗浄できるが、洗浄箇所が作業者の肩部よりも低い位置の場合は、図１６（ｂ）の状態となり可撓性の水切りゴムの取付首部が揺動して水切りゴムを洗浄面に沿わせるようになり楽な洗浄を可能としている。
【００１５】
この際、一旦集水された洗浄水又は液状洗剤を流出させないために、伸縮自在パイプ部６０内に逆止弁を設けると効果的である。逆止弁の構成は、その一例を図１７、図１８に示す。図１７に示す逆止弁は、伸縮自在パイプ後方に傾斜した環状逆止舌体６２によって構成されている。これのみでも、伸縮自在パイプ部が前方を低くされた場合でも、この環状逆止舌体６２によって流体の逆流を阻止できる。また、より確実に流体の逆流を阻止するために。環状逆止舌体６２と球体保持網６６との間に逆止球６４を保持することができる。
これ以外の、逆止弁の構成でも適宜選択可能であることは言うまでもない。
【００１６】
【発明の効果】本発明は、以上のように構成したので、洗浄具本体部のパイプ先端部に取り付けられた水切りゴムをパイプ先端部に対して揺動自在に取り付けているので、作業者の肩部よりも低い位置でも洗浄面に対する水切りゴムの角度を適正に保つことが可能であり、洗浄作業が容易である。
また、さらに本発明によると、洗浄具本体部の先端部には、水切りゴムに沿って毛細管現象を有した細条部材を設けているので、噴霧手段で噴霧した洗浄水又は液状洗剤を水切りゴムで掻き取る際の水滴を毛細管現象で集水し、パイプを通して捕集することができる。これにより、汚水により床や必要のない壁を汚してしまうことがない。
【図面の簡単な説明】
【図１】本発明の洗浄具の一つの具体的実施例を示す概観説明図
【図２】本発明の洗浄具本体の先端部分を示す正面図
【図３】本発明の実施例の水切りゴムを取り付ける取付首部の詳細斜視図
【図４】本発明の実施例の水切りゴムを取り付ける取付首部の詳細側面図
【図５】本発明の洗浄具の別の具体的実施例を示す洗浄具本体のスクイジー体の部分断面詳細図
【図６】
【図５】の洗浄具本体のスクイジー体部分を示す正面図
【図７】本発明の洗浄具のさらに別の具体的実施例を示す洗浄具本体のスクイジー体の部分断面詳細図
【図８】
【図７】の洗浄具本体のスクイジー体部分を示す正面図
【図９】本発明の洗浄具のさらに別の具体的実施例を示す洗浄具本体のスクイジー体の部分断面詳細図
【図１０】
【図９】の洗浄具本体のスクイジー体部分を示す正面図
【図１１】本発明の洗浄具のさらに別の具体的実施例を示す洗浄具本体のスクイジー体の部分断面詳細図
【図１２】本発明の洗浄具のさらに別の具体的実施例を示す洗浄具本体のスクイジー体の部分断面詳細図
【図１３】本発明の洗浄具のさらに別の具体的実施例を示す洗浄具本体のスクイジー体の部分断面詳細図
【図１４】
【図１３】の洗浄具本体のスクイジー体部分を示す正面図（Ａ面）
【図１５】
【図１３】の洗浄具本体のスクイジー体部分を示す背面図（Ｂ面）
【図１６】本発明の洗浄具を用いた垂直洗浄面での本発明の洗浄方法の説明図
【図１７】本発明の洗浄具に用いた逆止弁
【図１８】本発明の洗浄具に用いた逆止弁の別の実施例
【符号の説明】
１００  洗浄具
１０  洗浄具本体部
２０  水切りゴム
３０  取付首部
４０  スクイジー体
４１  外ケース体
４２  内ケース体
４３  固定金具
６０  伸縮自在パイプ部
６５  可撓性パイプ
６７  集水器
７０  噴霧手段
７５  ビニールホース
７７  噴霧ノズル
９０  細条部材
９１  スポンジ体
１１０  洗浄面
【図１】
2004329819.tif 000003
【図２】
2004329819.tif 000004
【図３】
2004329819.tif 000005
【図４】
2004329819.tif 000006
【図５】
2004329819.tif 000007
【図６】
2004329819.tif 000008
【図７】
2004329819.tif 000009
【図８】
2004329819.tif 000010
【図９】
2004329819.tif 000011
【図１０】
2004329819.tif 000012
【図１１】
2004329819.tif 000013
【図１２】
2004329819.tif 000014
【図１３】
2004329819.tif 000015
【図１４】
2004329819.tif 000016
【図１５】
2004329819.tif 000017
【図１６】
2004329819.tif 000018
【図１７】
2004329819.tif 000019
【図１８】
2004329819.tif 000020